(57)【要約】【課題】庇板の出幅、設置する高さや傾きなどの設定や調整が容易であり、構造が簡易であって設置に手数を要さず、風の強い地方でも設置できる庇を提供する。  【解決手段】庇１は、日差しの少なくとも一部を遮断する庇板２と、庇板２を建物の壁面９から離れた前方位置で支えるアーム３と、アーム３が壁面９より前方へ突出するようにアーム３の基端部を建物の壁に固定するための固定具４と、アーム３の先端部と庇板２とを連結して庇板２を日差しの遮断が可能な姿勢に定位させるための連結具５とを備える。【選択図】図１
2020180465.tif 000002
【特許請求の範囲】
【請求項１】
日差しの少なくとも一部を遮断する庇板と、前記庇板を建物の壁面から離れた前方位置で支えるアームと、前記アームが壁面より前方へ突出するようにアームの基端部を建物の壁に固定するための固定具と、前記アームの先端部と前記庇板とを連結して庇板を日差しの遮断が可能な姿勢に定位させるための連結具とを備える庇。  
【請求項２】
前記庇板は、アルミニウムの押出形材よりなる複数枚の帯状の板材が板材の幅方向に連ねられたものである請求項１に記載の庇。
【請求項３】
前記各板材は、突き合わせる側面に互いに係合する係合部を有しており、両側面に係合部を有する中間板材と、一側面に係合部を有する側板材とを含む請求項２に記載の庇。
【請求項４】
前記庇板は、庇板の長さより短い間隔で水平かつ互いに平行に配置される２本のアームにより支えられる請求項１〜３のいずれかに記載の庇。
【請求項５】
前記固定具は、一端部が建物の壁中に埋設されるアンカーボルトである請求項１に記載の庇。
【請求項６】
前記固定具は、建物の壁面上に取り付けられる固定金具である請求項１に記載の庇。
【請求項７】
前記固定金具は、前記アームを左右いずれかの方向へ振られた状態で固定することが可能である請求項６に記載の庇。  
【請求項８】
前記連結具は、前記庇板の前後方向の傾きを調整することが可能な連結金具であり、前記連結金具は、前記庇板の背面に取り付けられる取付板と、前記アームの先端部に取り付けられる連結部材とを含み、前記取付板は、基板部上に互いに平行な一対の突壁部を一体に備え、前記突壁部間に前記連結部材が挿入された状態で突壁部と連結部材とが連結軸により連結される請求項１に記載の庇。
【請求項９】
前記連結金具は、前記庇板の前面が斜め上方または斜め下方を向く姿勢で庇板を定位させる請求項８に記載の庇。
【請求項１０】
前記連結金具は、前記庇板の前面が正面を向く姿勢で庇板を定位させる請求項８に記載の庇。
【請求項１１】
出幅が前記アームの長さより小さい雨除けのための帯状の第２の庇板をさらに備え、前記第２の庇板の両端部がアームに支持されている請求項１〜１０のいずれかに記載の庇。
【発明の詳細な説明】
【技術分野】
【０００１】
この発明は、建物の壁面などに設置される庇に関する。
【背景技術】
【０００２】
庇は、日除けの機能に加えて、雨除けの機能を備えている。日差しを遮ることを主目的とするものは、一般に「日除け」とも呼ばれるが、ここでは、「日除け」を含めて「庇」と総称する。庇は、図１３に示すように、庇板１０１が建物の壁面９から張り出すように設置される。建物の壁面９には保持具１０２が複数本のボルトにより固定され、その保持具１０２により庇板１０１の後端部が全長にわたって保持される（例えば、特許文献１参照）。図１３には、窓などの開口部９０に向かう日差しｓの大部分が庇板１０１により遮断されている状態が示してある。図中、網点で表した部分は影になる領域である。
【０００３】
従来の庇では、庇を設置する箇所毎に、例えば、夏の日差しｓの遮断状態が最適となるように、庇板１０１の出幅、設置する高さや傾きなどを決定している。なお、以下の説明では、庇板１０１の前後方向の寸法を「出幅」、左右方向の寸法を「長さ」という。
【先行技術文献】
【特許文献】
【０００４】
【特許文献１】特許第３８５４６２６号公報
【発明の概要】
【発明が解決しようとする課題】
【０００５】
特許文献１に記載の庇は、建物の壁面９に庇板１０１とほぼ一致する長さの保持具１０２を取り付け、保持具１０２によって庇板１０１の後端部を全長にわたって保持する構造のものである。このため、保持具１０２の構造が複雑となり、庇の製作や壁面９への庇の設置に手数を要し、コスト高となる。
【０００６】
また、従来の庇では、庇板１０１に上方または下方から強風が吹き付けると、庇板１０１に作用する風圧が大きく、保持具１０２が風圧に耐え切れずに損壊し、庇板１０１が脱落するおそれがある。これがため、風の強い地方では庇を設置することができない。
【０００７】
この発明は、上記の問題に着目してなされたもので、庇板の出幅、設置する高さや傾きなどの設定や調整が容易であり、構造が簡易であって設置に手数を要さず、風の強い地方でも設置できる庇を提供することを目的とする。
【課題を解決するための手段】
【０００８】
この発明による庇は、日差しの少なくとも一部を遮断する庇板と、庇板を建物の壁面から離れた前方位置で支えるアームと、アームが壁面より前方へ突出するようにアームの基端部を建物の壁に固定するための固定具と、アームの先端部と庇板とを連結して庇板を日差しの遮断が可能な姿勢に定位させるための連結具とを備える。
【０００９】
建物の壁面に庇を設置するには、アームの基端部を建物の壁に固定具により固定し、アームの先端部に連結具により庇板を連結し、日差しの遮断が可能な姿勢に設定して定位させる。以上の作業で庇の設置が完了するもので、庇の設置に手数を要さず、庇板の出幅、設置する高さや傾きなどの設定や調整が容易である。
【００１０】
上記のように設置された庇において、日差しの全部または一部は庇板により遮断され、日除けの効果が得られる。庇板は建物の壁面から離れて位置するので、庇板と壁面との間の隙間を風が通り抜ける。このため、庇板に大きな風圧が作用せず、庇板が損壊してアームより脱落するおそれがなく、風の強い地方でも庇を設置できる。
【００１１】
好ましい実施形態においては、庇板は、アルミニウムの押出形材よりなる複数枚の帯状の板材が板材の幅方向に連ねられたものである。
【００１２】
この実施形態によると、庇板はアルミニウム製で軽量であるから、アームに掛かる荷重が低減される。また、帯状の板材を板材の幅方向に連ねるので、板材の枚数は少なくて済み、庇板の構造が簡易となり、庇板の組立に手数を要しない。なお、庇板は、１枚の板材で構成してもよく、また、アルミニウム製に限定されない。
【００１３】
各板材は、好ましくは、突き合わせる側面に互いに係合する係合部を有しており、両側面に係合部を有する中間板材と、一側面に係合部を有する側板材とを含む。この実施形態によると、板材間の連結が容易であり、庇板の組立に手数を要しない。
【００１４】
好ましい実施形態においては、庇板は、庇板の長さより短い間隔で水平かつ互いに平行に配置される２本のアームにより支えられる。この実施形態によると、庇板は両端部を安定した状態で支持し得る。なお、アームの本数は、庇板の重量や大きさに応じて、さらに増設することも可能である。
【００１５】
固定具には種々の実施形態が考えられるが、ひとつの実施形態は、一端部が建物の壁中に埋設されるアンカーボルトである。この実施形態によると、建物の壁面にアームを安定かつ強固に固定できる。
【００１６】
固定具の他の実施形態は、建物の壁面に取り付けられる固定金具である。この実施形態によると、建物の壁にアームを容易に固定できる。
【００１７】
固定金具は、庇の設置箇所などに応じて、アームを左右いずれかの方向へ振られた状態で固定することが可能である。
【００１８】
好ましい実施形態においては、連結具は、庇板の前後方向の傾きを調整することが可能な連結金具である。連結金具は、庇板の背面に取り付けられる取付板と、アームの先端部に取り付けられる連結部材とを含み、取付板は、基板部上に互いに平行な一対の突壁部を一体に備え、突壁部間の隙間に連結部材が挿入された状態で突壁部と連結部材とが連結軸により連結される。
この実施形態によると、庇の設置箇所などに応じて、庇板の傾きを変更したり調整したりすることができる。
【００１９】
連結金具は、好ましい一実施形態では、庇板の前面が斜め上方または斜め下方を向く姿勢で庇板を定位させる。また、他の好ましい実施形態では、庇板の前面が正面を向く姿勢で庇板を定位させる。
【００２０】
この発明による庇は、出幅がアームの長さより小さいの雨除けのための帯状の第２の庇板をさらに備えており、第２の庇板の両端部がアームに支持されている。この庇によると、日除けの効果に加えて、雨除けの効果も得られる。しかも、風は庇板と第２の庇板との間の隙間を通り抜けるので、庇板に大きな風圧が作用しない。
【発明の効果】
【００２１】
この発明によると、建物の壁面から離れた位置で庇板をアームにより支えるので、構造が簡易であり、庇の製作や設置に手数を要しない。また、アームの先端部に庇板を連結具により連結して、庇板を日差しの遮断が可能な姿勢に定位させるので、庇板の出幅、設置する高さや傾きの設定や調整が容易である。さらに、風が庇板と壁面との間の隙間を通り抜けるので、庇板に大きな風圧が作用せず、庇板が損壊してアームより脱落するおそれがなく、風の強い地方でも庇を設置できる。
【図面の簡単な説明】
【００２２】
【図１】庇の設置状態と日差しの遮断状態とを示す説明図である。
【図２】庇の一実施形態の側面図である。
【図３】図２の実施形態の平面図である。
【図４】図２の実施形態の背面図である。
【図５】図３のＡ−Ａ線に沿う庇板の断面図である。
【図６】図２のＤ−Ｄ線に沿うアームの断面図である。
【図７】図３のＢ−Ｂ線に沿う連結具の断面図である。
【図８】図３のＣ−Ｃ線に沿う連結具の断面図である。
【図９】庇の他の実施形態を示す平面図である。
【図１０】図９の実施形態における固定具および連結具の構成を拡大して示す平面図である。
【図１１】庇板を斜め下方に向けて定位させた設置形態を示す説明図である。
【図１２】庇板を正面に向けて定位させた設置形態を示す説明図である。
【図１３】従来の庇の設置状態と日差しの遮断状態とを示す説明図である。
【発明を実施するための形態】
【００２３】
図１は、建物の壁面９に設置された庇１を示す。壁面９には窓、出入り口などの開口部９０が設けられ、開口部９０の上方位置に庇１が設置されている。庇１は、庇板２と、庇板２を壁面９から離れた前方位置で支持するアーム３とを有する。庇板２によって日差しｓが遮断され、開口部９０から建物内への日差しｓの進入が阻まれる。図１に示すように、夏は、太陽が上がる位置、すなわち、仰角が大きく、図示の庇１によって夏の日差しｓの大部分が遮断されている。なお、以下の説明において、図中、ｘで示す方向を前後方向、ｚで示す方向を上下方向、前後方向および上下方向と直交する方向を左右方向という。
【００２４】
図２〜図４は、庇１の一実施形態を示す。庇１は、庇板２と２本のアーム３と固定具４と連結具５とを構成として含むものである。
庇板２は、窓などの開口部に向かう日差しの全部または一部を遮断することが可能な形状と大きさと傾きとを有する。各アーム３は、横に長い長方形状の庇板２を建物の壁面９から離れた前方位置で支えており、庇板２の長さＬより短い間隔ｄで水平かつ互いに平行に配置される。固定具４は、各アーム３が壁面９より前方へ突出するように各アーム３の基端部を建物の壁に固定する。連結具５は、各アーム３の先端部と庇板２とを連結して庇板２を日差しの遮断が可能な姿勢で定位させる。
【００２５】
庇板２は、図４および図５に示すように、アルミニウムの押出形材よりなる複数枚の帯状の板材２０，２１を側端面を互いに突き合わせるようにして板材２０，２１の幅方向に連ねたものである。中間に位置する２枚の板材（以下「中間板材」という。）２０は、一方の側面に第１の係合部２２、他方の側面に第２の係合部２３を有する。両側端に位置する各板材（以下「側板材」という。）２１は、一方が一側面に第１の係合部２２を有し、他方が一側面に第２の係合部２３を有する。第１の係合部２２と第２の係合部２３とは互いに係合して連結する構造になっている。なお、中間板材２０は、２枚に限らず、１枚であってもよく、３枚以上であってもよい。
【００２６】
中間板材２０および側板材２１は両端が開放されており、連ねられた中間板材２０および側板材２１の両端には、雨水が内部に浸入しないように、それぞれキャップ状の端板２４が装着されてネジ止めされている。
【００２７】
各アーム３は、アルミニウムの押出形材であり、図６に示すように、中心位置に筒状部３０、筒状部３０の周囲に複数の補強リブ３１がそれぞれ全長にわたって一体に形成されている。図示例では、補強リブ３１は９０度等角の位置に設けられているが、これに限らず、６０度等角の位置に設けたり、１８０度等角の位置に設けたりするなど、設計変更が可能である。隣合う補強リブ３１，３１間は扇形状の中空部３２となっており、各中空部３２に、ステンレス、アルミニウムなどの棒状をなす金属製の補強材３３を嵌挿することにより、アーム３の強度を高めるようにしてもよい。
【００２８】
なお、アーム３として、アルミニウムの押出形材に代えて、ステンレスなどの金属製パイプを用いることもできる。また、アーム３の外形は、図示の円柱状に限らず、四角柱状であってもよく、板状であってもよい。さらに、アーム３は、複数本のパイプ材を連結するなどして、長さ調整が可能な構成のものであってもよい。
【００２９】
固定具４は、アーム３の基端部を建物の壁に固定するためのものである。この実施形態では、固定具４としてアンカーボルト４９を用いている。アンカーボルト４９の一端部はアーム３の筒状部３０内に形成されたネジ孔（図示せず）にネジ込まれ、アンカーボルト４９の他端部は建物の壁中に埋設される。これにより、２本のアーム３は建物の壁面９より前方へ水平かつ互いに平行に突出する状態でそれぞれの基端部が建物の壁に固定される。
【００３０】
連結具５は、アーム３の先端部と庇板２とを連結して庇板２を日差しの遮断が可能な姿勢に設定して定位させるものである。この実施形態の連結具５は、庇板２の裏面に４本のボルト５６およびナット５７により取り付けられる連結金具５０であって、図２に示すように、アーム３に対して庇板２を傾動させることで、庇板２の前後方向の傾き（以下、単に「傾き」という。）θを調整することが可能な構成のものである。この実施形態では、庇の設置箇所などに応じて、庇板２の傾きθを調整して最適値に確定した後、庇板２を傾いた状態で後述する連結軸６により固定し定位させる。
【００３１】
この実施形態における連結金具５０は、図７および図８に示すように、庇板２の背面に後述する突壁部５２を縦向きにして取り付けられる取付板５３と、アーム３の先端部に取り付けられる連結部材５４とを含んでいる。取付板５３は、庇板２の背面に４本のボルト５６およびナット５７により固定される基板部５１と、基板部５１上に一体に形成される互いに平行な一対の突壁部５２，５２とを備えたものである。突壁部５２．５２間に連結部材５４のリング部５５が挿入され、連結部材５４と突壁部５２とを連結軸６により連結して固定する。
【００３２】
連結部材５４は、一端部に連結軸６を通すリング部５５、他端部にネジ軸部５８を一体に有するものである。リング部５５は、厚みが取付板５３の突壁部５２，５２間の間隙よりわずかに小さく、突壁部５２，５２間へ差し込むことが可能である。この実施例では、連結部材５４として、「デンデンボルト」と呼ばれる市販の金具を用いているが、これに限らず、専用の金具を製作して用いてもよい。連結部材５４のネジ軸部５８は、アーム３の筒状部３０内に形成されたネジ孔にネジ込まれる。取付板５３の各突壁部５２，５２には連結軸６を通す孔（図示せず）がそれぞれ開設されている。この実施例では、連結軸６としてボルト６０が用いてあり、連結部材５４のリング部５５の孔および各突壁部５２の孔に通したボルト６０にナット６１をねじ込んで締め付けることにより、取付板５３の対向する突壁部５２，５２がわずかに変形して連結部材５４のリング部５５を挟着し、これにより連結部材５４と取付板５３とが一体に連結固定される。なお、連結金具５０の取付板５３は、上記の実施形態に代えて、Ｌ形金具を用いてもよく、この場合は、Ｌ形金具の垂直部と連結部材５４のリング部５５とをボルト６０およびナット６１により連結固定する。また、連結具５は、図示例のような傾き調整が可能な構造の連結金具５０に限定されるものではなく、アーム３の先端部に庇板２を一定の傾きで直接連結固定するもの、例えば、ネジやボルトなどであってもよい。
【００３３】
上記した実施形態において、固定具４として、アンカーボルト４９に代えて、連結金具５０と同様の構成の固定金具４０を用いることも可能である。図９および図１０に、固定金具４０を用いた実施形態が示してある。
【００３４】
図示の固定金具４０は、建物の壁面９に後述する突壁部４２を横向きにして取り付けられる取付板４３と、アーム３の基端部に取り付けられる連結部材４４とを含んでいる。取付板４３は、壁面９に４本のボルト４６により固定される基板部４１と、基板部４１上に一体に形成される互いに平行な一対の突壁部４２，４２とを備えたものである。突壁部４２，４２間に連結部材４４のリング部（図示せず）が挿入され、連結部材４４を突壁部４２に連結軸４５により連結し固定している。
【００３５】
連結部材４４は、一端部に連結軸４５を通す前記のリング部、他端部にネジ軸部４８を一体に有するものである。リング部は、厚みが取付板４３の突壁部４２，４２間の間隙よりわずかに小さく、突壁部４２，４２間へ差し込むことが可能である。連結部材４４のネジ軸部４８はアーム３の筒状部３内に形成されたネジ孔にネジ込まれる。取付板４３の各突壁部４２，４２には連結軸４５を通す孔（図示せず）がそれぞれ開設されている。図示例では、連結軸４５としてボルトが用いてあり、連結部材４４のリング部の孔および各突壁部４２の孔に通したボルトにナットをねじ込んで締め付けることにより、取付板４３の突壁部４２，４２間で連結部材４４が挟着される。
【００３６】
この実施形態の固定金具４０は、庇の設置箇所などに応じて、アーム３を壁面９に対して垂直に固定したり、また、図９および図１０に示すように、アーム３を左右いずれかの方向へ振らせて固定したりすることが可能である。アーム３が振れた状態で連結軸４５によりアーム３を固定し定位させる場合、連結金具５０の方も、突壁部５２を横向きにして庇板２の裏面に取付板５３を取り付ける。これにより、図９に示されるように、アーム３の左右方向の振れを調整することができる。
【００３７】
建物の壁面９に庇１を設置するには、庇１の設置現場に庇１の構成部品、すなわち、庇板２、アーム３、固定具４、および連結具５を搬入する。まず、アーム３を建物の壁面９に固定具４により基端部を固定した後、アーム３の先端部に連結具５により庇板２を連結する。庇板２の取付時、庇板２の傾きθを調整して庇板２を連結固定し、アーム３の先端部に日差しの遮断が可能な姿勢で庇板２を定位させる。
【００３８】
図１の設置形態では、庇板２の前面が斜め上方を向く姿勢で庇板２を定位させており、これによって、建物の開口部９０に向かう日差しｓの大部分が庇板２によって遮断されている。なお、この設置例のように、必ずしも庇の設置現場で庇の構成部品の全てを組み立てる必要はなく、例えば、工場において、アーム３の先端部に予め庇板２を連結具５により連結固定してもよい。  
【００３９】
図１１は、他の設置形態を示しており、庇板２の前面が斜め下方を向く姿勢で庇板２を定位させており、これによって、建物の開口部９０に向かう日差しｓの約半分が庇板２によって遮断されている。
【００４０】
図１２は、さらに他の設置形態を示しており、庇板２の前面が正面を向く姿勢で庇板２を定位させており、これによって、建物の開口部９０に向かう日差しｓの一部が庇板２によって遮断されている。
【００４１】
いずれの設置形態においても、建物の開口部９０に向かう日差しｓの全部または一部が庇板２により遮断され、日除けの効果が得られる。庇板２は建物の壁面９から離れているので、庇板２と壁面９との隙間を風が通り抜けることができ、このため、庇板２に大きな風圧が作用せず、庇板２がアーム３より脱落するおそれがなく、風の強い地方でも庇を設置できる。
また、図１２の設置形態では、庇板２は縦向きであるので、庇板２に積雪のおそれがなく、雪の多い地方にも庇を設置できる。なお、庇板２の上方を向く端面を先に細い形状としたり、アーム３を板状体として上側端面を先に細い形状としたりすることで、積雪の防止効果を高めることができる。また、庇板２は、必ずしも図１２に示す縦向きの姿勢である必要はなく、例えば、図１および図１１のような、縦向きに近い傾斜姿勢であれば、積雪を防止することが可能である。  
【００４２】
いずれの態様においても、庇板２は建物の壁面９から離れているので、庇板２と壁面９との隙間を雨粒が通過し、雨除けの効果に欠けるが、図１に二点鎖線で示すように、出幅がアーム３の長さより小さい帯状の第２の庇板７を２本のアーム３，３によって水平に支持させることにより、雨除けの効果を付加することができる。この場合、風は庇板２と第２の庇板７との間の隙間を通り抜けるので、庇板２に大きな風圧は作用しない。なお、第２の庇板７は、アルミニウムの押出形材の他、合成樹脂板などを用いることも可能であり、両端部はネジ止めなどの方法でアーム３に固定する。
【符号の説明】
【００４３】
１    庇
２    庇板
３    アーム
４    固定具
５    連結具
６    連結軸
７    第２の庇板
９    壁面
２０  中間板材
２１  側板材
２２．２３  係合部
４０  固定金具
５０  連結金具
５１  基板部
５２  突壁部
５３  取付板
５４  連結部材
【図１】
2020180465.tif 000003
【図２】
2020180465.tif 000004
【図３】
2020180465.tif 000005
【図４】
2020180465.tif 000006
【図５】
2020180465.tif 000007
【図６】
2020180465.tif 000008
【図７】
2020180465.tif 000009
【図８】
2020180465.tif 000010
【図９】
2020180465.tif 000011
【図１０】
2020180465.tif 000012
【図１１】
2020180465.tif 000013
【図１２】
2020180465.tif 000014
【図１３】
2020180465.tif 000015